(57)【要約】【課題】様々なサイズの原稿を一度に自動原稿給紙装置より読み取り可能であると共に、非定型サイズである原稿のサイズ登録を容易に実現する画像形成装置を提供する。【解決手段】複数の原稿を載置する載置台と、載置台に載置された複数の原稿を順次取得し搬送路を介して排紙台に移送する原稿移送手段と、原稿における移送方向に対して垂直な辺の長さを測定する走査長取得手段と、移送に基づいて原稿における移送方向に対して平行な辺の長さを測定する副走査長取得手段と、搬送路上の読取位置にて移送中の原稿を読み取る読取手段とを備える画像形成装置を提供する。【選択図】図４
2009044369.tif 000002
【特許請求の範囲】
【請求項１】
複数の原稿を載置する載置台と、
上記載置台に載置された複数の原稿を順次取得し、搬送路を介して排紙台に移送する原稿移送手段と、
上記原稿における移送方向に対して垂直な辺の長さを測定する走査長取得手段と、
上記移送に基づいて、上記原稿における移送方向に対して平行な辺の長さを測定する副走査長取得手段と、
上記搬送路上の読取位置にて上記移送中の原稿を読み取る読取手段と、
を備える画像形成装置。
【請求項２】
定型サイズの転写媒体における二辺の長さを記憶する定型サイズ記憶手段と、
上記走査長取得手段及び副走査長取得手段が取得した二辺の長さと、上記定型サイズ記憶手段が格納する二辺の長さとを比較する比較手段と、
上記比較手段による比較結果が一致しない場合、上記取得した二辺の長さの登録を促す画面を表示する非定型サイズ登録手段と、
上記非定型サイズ登録手段を介して登録された二辺の長さを、ユーザ定義サイズとして記憶するユーザサイズ記憶手段と、
を備える請求項１記載の画像形成装置。
【請求項３】
さらに原稿より得られた画像データを転写媒体に出力する印刷手段と、
複数種の定型サイズの転写媒体から所定の転写媒体を選択的に取得する転写媒体取得手段とを備え、
上記走査長取得手段及び副走査長取得手段は、上記原稿移送手段が順次取得した各原稿についてそれぞれ二辺の長さを測定し、
上記比較手段は、上記取得した二辺の長さを上記定型サイズ記憶手段が格納する二辺の長さと順次比較し、
上記転写媒体取得手段は、各原稿毎に、上記比較結果に合致する定型サイズの転写媒体を取得し、
上記印刷手段は、上記転写媒体取得手段が取得した、各原稿毎に合致する定型サイズの転写媒体に画像データを出力する
請求項２に記載の画像形成装置。
【請求項４】
上記走査長取得手段と上記副走査長取得手段を、上記読取位置の移送方向前段に設けた請求項１〜３のいずれかに記載の画像形成装置。
【発明の詳細な説明】
【技術分野】
【０００１】
本発明は、デジタル複写機、プリンタ、スキャナなどの画像形成装置に関し、詳しくは様々なサイズの原稿を一度に自動原稿給紙装置より読み取り可能であると共に、非定型サイズである原稿のサイズ登録を容易に実現する画像形成装置に関する。
【背景技術】
【０００２】
従来では、複数枚にわたる原稿を印刷する場合、複数の原稿を載置可能な載置台、即ち自動原稿給紙装置を用いて印刷を行うのが通常である。自動原稿給紙装置は、複数枚の原稿を順次ピックアップして移送し、読取位置にて移送中の原稿を読み取る。これらの処理は自動で行われるため、ユーザが原稿台に一枚ずつ原稿を載置し読み取らせる場合に比して処理時間が短く、また利便性が高い。このような理由により、原稿台は、自動原稿給紙装置が利用できない特殊なケース（書籍のコピーなど）以外では利用されない。
【０００３】
ところで、定形サイズ以外の原稿、即ち非定型サイズ（ユーザ定義サイズ）の原稿を印刷する場合には、あらかじめ原稿サイズを登録する処理が行われている。あらかじめサイズを登録することで、例えばＡ４サイズより小さい原稿をＡ４サイズの印刷用紙に印刷（コピー）するような場合には、印刷時の印刷用紙における印字部分の偏りを修正し、あるいは原稿から読み取った画像データをＡ４サイズに合わせて拡大したりする処理を自動的に行うことが可能であった。また、あらかじめ非定型サイズが登録されているため、当該登録された非定型サイズを選択して印刷を開始することで非定型サイズに合わせた画像データの取得が可能となり、画像データの処理において無駄なメモリ容量を確保する必要が無かった。さらに取得した画像データを保存する場合にも保存のためのメモリ容量を最小限で済ませることが可能であった。
【０００４】
なお、非定型サイズを登録する場合には、ユーザが原稿の二辺の長さを測定し、当該測定した長さを、例えばユーザサイズ登録画面に対して数値入力する。
【０００５】
また、入力を容易にする技術として、特開２０００−２６７５１１号公報には、非定型サイズの原稿を検知する手段が設けられた画像形成装置が開示されている。当該画像形成装置では、原稿台に載置された１枚の原稿に対してサイズ検知を行う処理が開示されている。なお、非定型サイズを検知した後は、非定型サイズを当該非定型サイズよりも大きい定形サイズの原稿とみなして処理を行っている。
【特許文献１】特開２０００−２６７５１１号公報
【発明の開示】
【発明が解決しようとする課題】
【０００６】
しかしながら、上記従来技術は、原稿台を利用して非定型サイズを検知するものである。即ち、非定型サイズの原稿を複数枚印刷する場合であっても、原稿の１枚を一旦原稿台に載置してサイズを測定する必要があった。そして、測定後は原稿台上の原稿を他の原稿とまとめて再度自動原稿給紙装置上に載置して印刷を開始する必要があった。
【０００７】
これにより、上述した、“処理時間が短くまた利便性が高い”といった自動原稿給紙装置の長所が十分には活かせていない状態であった。
【０００８】
本発明は、上記の課題を解決するためになされたもので、様々なサイズの原稿を一度に自動原稿給紙装置より読み取り可能であると共に、非定型サイズである原稿のサイズ登録を容易に実現する画像形成装置を提供することを目的とする。
【課題を解決するための手段】
【０００９】
本発明は、上記目的を達成するために以下の手段を採用している。すなわち本発明における画像形成装置においては、 複数の原稿を載置する載置台と、載置台に載置された複数の原稿を順次取得し搬送路を介して排紙台に移送する原稿移送手段と、原稿における移送方向に対して垂直な辺の長さを測定する走査長取得手段と、移送に基づいて原稿における移送方向に対して平行な辺の長さを測定する副走査長取得手段と、搬送路上の読取位置にて移送中の原稿を読み取る読取手段とを備える。
【００１０】
また、定型サイズの転写媒体における二辺の長さを記憶する定型サイズ記憶手段と、走査長取得手段及び副走査長取得手段が取得した二辺の長さと、定型サイズ記憶手段が格納する二辺の長さとを比較する比較手段と、比較手段による比較結果が一致しない場合、取得した二辺の長さの登録を促す画面を表示する非定型サイズ登録手段と、非定型サイズ登録手段を介して登録された二辺の長さをユーザ定義サイズとして記憶するユーザサイズ記憶手段とを備える構成としてもよい。
【００１１】
さらに、原稿より得られた画像データを転写媒体に出力する印刷手段と、複数種の定型サイズの転写媒体から所定の転写媒体を選択的に取得する転写媒体取得手段とを備え、走査長取得手段及び副走査長取得手段は上記原稿移送手段が順次取得した各原稿についてそれぞれ二辺の長さを測定し、比較手段は取得した二辺の長さを定型サイズ記憶手段が格納する二辺の長さと順次比較し、転写媒体取得手段は各原稿毎に比較結果に合致する定型サイズの転写媒体を取得し、印刷手段は、転写媒体取得手段が取得した各原稿毎に合致する定型サイズの転写媒体に画像データを出力する構成としてもよい。
【００１２】
上記走査長取得手段と上記副走査長取得手段を、上記読取位置の移送方向前段に設けた構成としてもよい。
【発明の効果】
【００１３】
本願に係る画像形成装置においては、原稿に応じてそれぞれ異なる転写媒体を選択的に取得しているため、例えば自動原稿給紙装置にサイズの異なる複数種類の原稿を載置した場合であってもすべて自動で印刷が行われる。
【００１４】
また、自動原稿給紙装置より読み込まれた原稿が非定型サイズである場合であっても容易に当該サイズを登録可能となる。また、登録した場合であっても、再度原稿を載置し直すことなく印刷処理を継続することが可能である。
【００１５】
さらに、原稿の読取位置より前段にて走査長、副走査長を取得することができるため、原稿範囲外の読み取りが不要であり、読み取り速度を高速化することができる。
【００１６】
またさらに、画像データを保存する場合であっても、不要な領域の画像データが存在しないため、必要以上にメモリを消費しない。さらに、原稿（画像データ）と転写媒体のサイズが異なる場合であっても、ユーザにその都度選択させること無く画像データの転写媒体に適応させた拡大・縮小が可能となる。
【発明を実施するための最良の形態】
【００１７】
以下、添付図面を参照して、本発明の実施の形態につき説明し、本発明の理解に供する。尚、以下の実施の形態は、本発明を具体化した一例であって、本発明の技術的範囲を限定する性格のものではない。
【００１８】
以下、本発明に係る画像形成装置について説明する。
【００１９】
図１は、画像形成装置１００の概略模式図である。ただし、本発明に直接には関係しない各部の詳細は省略している。
【００２０】
本発明の画像形成装置１００は、例えばプリンタやスキャナ単体、あるいはプリンタ、コピー、スキャナ、ファックス等を備えた複合機等が該当する。
【００２１】
なお、一例として複合機を利用して原稿のコピーを行う際の画像形成装置の動作を簡単に説明する。
【００２２】
ユーザが複合機を利用して例えば原稿の印刷を行う場合、原稿を図１に示す原稿台１０３、或いは載置台１０５に配置し、原稿台近傍に供えられた操作パネルに対して印刷の指示を行う。当該指示があると、以下に示す各部（駆動部）が動作することで、印刷が行われる。
【００２３】
即ち、図１に示すように、本実施の形態の画像形成装置１００は、本体１０１と、本体１０１の上方に取り付けられたプラテンカバー１０２を備える。本体１０１の上面は原稿台１０３が設けられており、原稿台１０３は、プラテンカバー１０２によって開閉されるようになっている。プラテンカバー１０２は、自動原稿給紙装置１０４と載置台１０５と排紙台１０９が設けられている。
【００２４】
自動原稿給紙装置１０４は、プラテンカバー１０２の内部に形成された原稿搬送路１０８と、プラテンカバー１０２の内部に備えられたピックアップローラ１０６や搬送ローラ１０７Ａ、１０７Ｂ等で構成される。原稿搬送路１０８は、載置台１０５から、本体１０１に設けられた読取部１１０にて読み取りが行なわれる読取位置Ｐを経由して、排紙台１０９に通じる原稿の搬送路である。
【００２５】
自動原稿給紙装置１０４は、載置台１０５に載置された複数の原稿から１枚ずつ原稿をピックアップローラ１０６で搬送路内１０８に引き出し、搬送ローラＡ等によって引き出した原稿を、読取位置Ｐを通過させて、搬送ローラＢにより排紙台１０９に排紙する。読取位置Ｐを通過する時に原稿は読取部１１０にて読み取られる。
【００２６】
上記読取部１１０は、原稿台１０３の下方に設けられており、図２にその詳細が示されている。読取部１１０は、原稿台１０３を照射する走査方向に長い光源１１１と、原稿台からの光を選択的に通過させるスリット１１６と、原稿台からの光を導くミラー１１２とを備える第一の移動キャリッジ１１７や、第一の移動キャリッジ１１７からの反射光を再度反射するミラー１１３A、１１３Bを備える第二の移動キャリッジ１１８、さらにミラーで導かれた光を光学的に補正するレンズ群１１９、当該レンズ群１１９より補正された光を受光する撮像素子１１５、撮像素子にて受光した光を電気信号に変換し、必要に応じて補正・修正などを行う画像データ生成部１１４とで構成されている。
【００２７】
自動原稿給紙装置１０４上の原稿を読み取る場合には、光源１１１は、読取位置Ｐを照射できる位置に移動して発光する。光源１１１からの光は、原稿台１０３を透過して読取位置Ｐを通過する原稿にて反射し、スリット１１６、ミラー１１２、１１３A、１１３B、レンズ群１１９によって撮像素子１１５に導かれる。撮像素子１１５は、受光した光を電気信号に変換して画像データ生成部１１４に送信する。画像データ生成部１１４には、上記撮像素子１１５にて受光された光がＲ（レッド）、Ｇ（グリーン）、Ｂ（ブルー）のアナログ電気信号として入力され、ここでアナログ−デジタル変換され、即ちデジタル化される。さらに、画像データ生成部１１４では、順次変換されたデジタル信号を単位データとし、これら単位データを補正、修正等することで複数の単位データからなる画像データを生成する。
【００２８】
また、読取部１１０は、自動原稿給紙装置１０４で搬送される原稿だけでなく、原稿台１０３に載置された原稿も読み取ることが可能となっている。原稿台１０３に載置された原稿を読み取る場合は、第一のキャリッジ１１２は、光源１１１を発光しながら副走査方向に移動し、光源１１１から撮像素子１１５までの光路長を一定にするために、第二の移動キャリッジ１１８は第一の移動キャリッジ１１７の１／２の速度で撮像素子１１５方向に移動する。
【００２９】
撮像素子１１５は、自動原稿給紙装置１０４に搬送された原稿のときと同様に、ミラー１１２、１１３Ａ、１１３Ｂに導かれた光に基づいて原稿台１０３に載置された原稿からの光を電気信号に変換し、これに基づいて画像データ生成部１１４が画像データを生成し、記憶部１１４Ｂに記憶する。なお、上記読取部１１０を構成する各部が一連の処理を行うことにより、後述する読取手段４０１として動作する。
【００３０】
本体１０１の読取部１１０の下方には、画像データを印刷する印刷部１２０を備えている。印刷部１２０が印刷できる画像データは、上記のように画像データ生成部１１４にて生成されたものや、その他画像形成装置１００とＬＡＮ等のネットワークに接続されたパソコン等の端末から、ネットワークインターフェイスを介して受信したものである。
【００３１】
印刷部１２０が行う印刷方式には、電子写真方式が用いられている。即ち、感光ドラム１２１を帯電器１２２で一様に帯電させ、その後レーザ１２３で感光ドラム１２１を照射して感光ドラム１２１に潜像を形成し、現像器１２４で潜像にトナーを付着させて可視像を形成し、転写ローラにて可視像を用紙に転写する方式である。
【００３２】
なお、フルカラー画像に対応した画像形成装置では、上記現像器（ロータリー現像器）１２４が、図１の紙面に対して垂直方向に構成される回転軸を中心として周方向に回転させられ、対応する色のトナーが格納された現像ユニットが感光ドラム１２１の対向位置に配置される。この状態で、感光ドラム１２１上の潜像が、現像器１２４が格納するトナーにより現像され、中間転写ベルト１２５Ａに転写される。なお、現像器１２４は、イエロー（Ｙ）、シアン(Ｃ)、マゼンタ(Ｍ)、ブラック(Ｋ)の各トナーをそれぞれ格納する４つの現像ユニット１２４（Ｙ）、(Ｃ)、(Ｍ)、(Ｋ)を有している。上記中間転写ベルト１２５Ａへの転写を上記各色毎に繰り返すことにより、当該中間転写ベルト１２５Ａ上にフルカラー画像が形成される。
【００３３】
可視像が印刷される転写媒体、即ち用紙は、手差しトレイ１３１、給紙カセット１３２、１３３、１３４などの給紙トレイに載置されたものである。
【００３４】
印刷部１２０が印刷を行う際には、何れか１つの給紙トレイから用紙１枚を、ピックアップローラ１３５を用いて引き出し、引き出した用紙を搬送ローラ１３７（手差しトレイ１３１を利用する場合には搬送ローラ１３６）やレジストローラ１３８で中間転写ベルト１２５Ａと転写ローラ１２５Ｂの間に送り込む。
【００３５】
印刷部１２０は、中間転写ベルト１２５と転写ローラ１２５の間に送り込んだ用紙に、上記中間転写ベルト１２５上の可視像を転写すると、可視像を定着させるために、搬送ベルト１２６で定着装置１２７に用紙を送る。定着装置１２７は、ヒータが内蔵された加熱ローラ１２８と、所定の圧力で加熱ローラ１２８に押し当てられた加圧ローラ１２９とで構成されている。加熱ローラ１２８と加圧ローラ１２９の間を用紙が通過すると、熱と用紙への押圧力によって可視像が用紙に定着する。印刷部１２０は、定着装置１２７を通過した用紙を排紙トレイ１３０に排紙する。
【００３６】
以上が、画像形成装置１００における基本的なコピーサービスの処理である。
【００３７】
なお、上記画像形成装置１００では、図３の概略構成図に示すように、ＣＰＵ（Central Processing Unit）３０１、ＲＡＭ（Random Access Memory）３０２、ＲＯＭ（Read Only Memory）３０３、ＨＤＤ（Hard Disk Drive）３０４及び上記印刷処理における各駆動部に対応するドライバ３０５が内部バス３０６を介して接続されている。上記ＣＰＵ３０１は、例えばＲＡＭ３０２を作業領域として利用し、ＲＯＭ３０３やＨＤＤ３０４等に記憶されているプログラムを実行し、当該実行結果に基づいて上記ドライバ３０５とデータや命令を授受することにより上記図１、図２に示した各駆動部３０７の動作を制御する。
【００３８】
続いて、本発明に係る画像形成装置の、自動原稿給紙装置１０４における処理の詳細について、主に図４、図５、図６を用いて説明する。
【００３９】
載置台１０５に複数の原稿が載置されている状態で印刷が開始されると、走査長取得手段４０２が原稿の移送方向５０２に対して垂直な辺の長さ、即ち走査方向の辺の長さを測定する（図６：Ｓ６０１）。当該測定は、例えば走査方向に滑動可能な側面止め具５０４の位置を走査長取得手段４０２が取得することで行われる。
【００４０】
走査長取得手段４０２にて測定された走査長は、読取手段４０４及び比較手段４０５に送信される。
【００４１】
次に、原稿移送手段４０１はピックアップローラ１０６を駆動させることで最上面の原稿１枚を取得し、搬送路１０８内に引き出す。なお、走査長の測定は、当該ピックアップローラ１０６により引き出された原稿に対して、例えば搬送路１０８中に設けられた、原稿の有無を検知する複数のセンサ５０１ａ〜５０１ｚのうち、ＯＮ信号を出力しているセンサと出力していないセンサ（即ちＯＦＦであるセンサ）との境界に基づいて、走査長を算出してもよい。
【００４２】
搬送路１０８に引き出された原稿は、続いて副走査長取得手段４０３によって、移送方向５０２に対して平行な辺の長さ、即ち、副走査長が測定される（図６：Ｓ６０２）。当該測定は、例えば副走査長取得手段４０３が、走査方向中央部近傍に設けられたセンサ５０５からの信号を入力することにより行われる。具体的には、センサ５０５が原稿を検知することでＯＮ信号を出力し、その後原稿の通過によってＯＦＦとなった際に、これら信号を取得し、当該ＯＮ信号の入力時間と、当該入力時間における原稿の移送速度（１０７Ａの回転速度）とより算出する。算出された副走査長は、読取手段４０４及び比較手段４０５に送信される。
【００４３】
続いて、読取手段４０４は、上記走査長取得手段４０２及び副走査長取得手段４０３よりそれぞれ取得した走査長、副走査長に基づき、読取位置Ｐにおいて原稿の当該二辺にて構成される領域の画像データを取得する（図６：Ｓ６０３）。
【００４４】
また、比較手段４０５は、上記二辺の長さと、定型サイズ記憶手段４０６に記憶されている定型サイズの転写媒体における二辺の長さとを比較する（図６：Ｓ６０４）。具体的には、上記比較手段４０５は、上記走査長取得手段４０２及び副走査長取得手段４０３より取得した二辺の長さが、上記定型サイズ記憶手段４０６に格納されている長径値及び短径値のいずれかに一致するかどうかを比較する。
【００４５】
ここで定型サイズとは、印刷作業で頻繁に用いられるサイズとして例えばＡ４、Ｂ４、Ａ３サイズ等が定義されている。Ａ４サイズとは長径297mm、短径210mmのサイズであり、Ｂ４サイズとは長径364mm、短径257mmのサイズであり、Ａ３サイズとは長径594mm、短径420mmのサイズである。これら定型サイズの転写媒体は、上記給紙カセット１３２、１３３、１３４に格納されており、当該格納場所は転写媒体取得手段４０９にて管理されている。
【００４６】
上記比較の結果、取得した走査長、副走査長が、定型サイズと一致した場合、その旨が転写媒体取得手段４０９に通知される。当該通知を受けた転写媒体取得手段４０９は、選択的に、通知された定型サイズの転写媒体を格納している給紙カセットから転写媒体１枚を、ピックアップローラ１３５を用いて引き出し、搬送ローラ１３７やレジストローラ１３８で中間転写ベルト１２５Ａと転写ローラ１２５Ｂの間に送り込む。以後、上述のように、読取手段４０４が取得した画像データに基づいて、印刷手段４１０により、可視像が上記転写媒体に印刷される（図６：Ｓ６０５Ｙｅｓ→Ｓ６０６）。上記走査長取得手段４０２及び副走査長取得手段４０３による走査長、副走査長の取得は、原稿1枚毎に行われる。
【００４７】
以上により、原稿に応じてそれぞれ異なる転写媒体を選択的に取得しているため、例えば自動原稿給紙装置にサイズの異なる複数種類の原稿を載置した場合であってもすべて自動で印刷が行われる。また、原稿の読取位置Pより前段にて、走査長、副走査長を取得することができるため、原稿範囲外の読み取りが不要であり、読み取り速度を高速化することができる。また、画像データを保存する場合であっても、不要な領域の画像データが存在しないため、必要以上にメモリを消費しない。さらに、原稿（画像データ）と転写媒体のサイズが異なる場合であっても、ユーザにその都度選択させること無く画像データの転写媒体に適応させた拡大・縮小が可能となる。
【００４８】
さて、上記比較手段４０５による比較結果、原稿サイズが定型サイズと一致しないと判定された場合、当該旨及び測定された二辺のサイズは非定型サイズ登録手段４０７に通知される。上記通知を受けた非定型サイズ登録手段４０７は、当該二辺の長さの登録を促す入力画面を、上記操作パネルに表示する（図６：Ｓ６０５Ｎｏ→Ｓ６０７）。当該入力画面の一例を図７に示す。入力画面７００には、長径を入力する入力ボックス７０１と、短径を入力する入力ボックス７０２とが表示され、それぞれ上記走査長取得手段４０２及び副走査長取得手段４０３よりそれぞれ取得した走査長、副走査長があらかじめ表示される。
【００４９】
ユーザが非定型サイズをユーザ定義サイズとして登録することを希望する場合、必要に応じて長径、短径を修正し、設定ボタン７０３を押下する。これにより、入力ボックス７０１、７０２に入力された値が、ユーザサイズ記憶手段４０８に記憶される（図６：Ｓ６０８Ｙｅｓ→Ｓ６０９）。以上の処理により、非定型サイズの登録が完了する。なお、ユーザが登録を希望しない場合、キャンセルボタン７０４を押下することにより、ユーザサイズ記憶手段４０８への記憶は行われない（図６：Ｓ６０８Ｎｏ）。
【００５０】
以上により、自動原稿給紙装置より読み込まれた原稿が非定型サイズである場合であっても容易に当該サイズを登録可能となる。また、登録した場合であっても、再度原稿を載置し直すことなく印刷処理を継続することが可能である。
【００５１】
原稿が非定型サイズであった場合には、登録の有無にかかわらず、例えば手差しトレイ１３１や、あるいはユーザが改めて選択した給紙カセットから転写媒体が取得され、印刷される（図６：Ｓ６１０）。
【００５２】
なお、ユーザサイズ記憶手段４０８に記憶されたユーザ定義サイズは、例えば手差しトレイに載置された転写媒体のサイズをユーザが装置に入力する際に用いられる。この際には、記憶された複数のユーザ定義サイズが操作パネルに選択可能に表示され、ユーザが選択することにより装置が手差しトレイに載置された転写媒体のサイズを取得、認識することができる。
【産業上の利用可能性】
【００５３】
本発明に係る画像形成装置は、非定型サイズである原稿のサイズ登録を容易に実現する画像形成装置として有用である。
【図面の簡単な説明】
【００５４】
【図１】本発明に係る画像形成装置の概略模式図。
【図２】読取部の拡大図。
【図３】本発明に係る画像形成装置の概略構成図。
【図４】本発明に係る画像形成装置の概略機能ブロック図。
【図５】自動原稿給紙装置の上面図。
【図６】本発明に係る画像処理装置のサイズ登録処理を説明するフローチャート。
【図７】入力画面の一例を示す図。
【符号の説明】
【００５５】
４０１  原稿移送手段
４０２  走査長取得手段
４０３  副走査長取得手段
４０４  読取手段
４０５  比較手段
４０６  定型サイズ記憶手段
４０７  非定型サイズ登録手段
４０８  ユーザサイズ記憶手段
４０９  転写媒体取得手段
４１０  印刷手段
【図１】
2009044369.tif 000003
【図２】
2009044369.tif 000004
【図３】
2009044369.tif 000005
【図４】
2009044369.tif 000006
【図５】
2009044369.tif 000007
【図６】
2009044369.tif 000008
【図７】
2009044369.tif 000009